(57)【要約】【課題】  耐久性を備えた弾性片を使用した構造によるコップ保持部を備えたコップディスペンサにおいて、コップの単独取り出しをより確実に行われる器具を提供する。【解決手段】  鍔部ｂを備え逆円錐台形状で積層したコップＡに対応した筒状収納部（本体１１）と、筒状収納部の下方に、コップの下方部分が露出し且つコップを保持するコップ保持部２とを備えたものであって、前記コップ保持部が、コップ鍔部の通過外径の範囲内に突出する細長の弾性板部（リング部材２１）を、コップ通過部分を囲繞するように放射状に複数配置して形成されたもので、前記弾性板部の突出長を長短相違せしめると共に、各長短弾性板部を一方に偏ることなくバランス良く配置し、若しくは前記弾性板部を多段に設けてなる。【選択図】図２
2005170487.tif 000002
【特許請求の範囲】
【請求項１】
鍔部を備え逆円錐台形状で積層したコップに対応した筒状収納部と、筒状収納部の下方に、コップの下方部分が露出し且つコップを保持するコップ保持部とを備えたものであって、前記コップ保持部が、コップ鍔部の通過外径の範囲内に突出してコップを保持する細長の弾性板部を、コップ通過部分を囲繞するように放射状に複数配置して形成され、且つ前記弾性板部の突出長を長短相違せしめ、各長短弾性板部を一方に偏ることなくバランス良く配置してなることを特徴とするコップディスペンサ。
【請求項２】
弧状辺部と複数の弾性板部を一枚としている薄樹脂板製の弾性部材を、上下リング体間に並べて挟持してコップ保持部を形成してなる請求項１記載のコップディスペンサ。
【請求項３】
長弾性板部と短弾性板部とを交互に設けてなる請求項１又は２記載のコップディスペンサ。
【請求項４】
長弾性板部の突出長をコップ容器部分の最大外径と対応させ、短弾性板部の突出長を前記長弾性板部より１ｍｍ程度短く形成した請求項１乃至３記載のいずれかのコップディスペンサ。
【請求項５】
鍔部を備え逆円錐台形状で積層したコップに対応した筒状収納部と、筒状収納部の下方に、コップの下方部分が露出し且つコップを保持するコップ保持部とを備えたものであって、前記コップ保持部が、コップ鍔部の通過外径の範囲内に突出してコップを保持する細長の弾性板部を、コップ通過部分を囲繞するように放射状に複数配置して形成され、且つ前記弾性板部を多段に設けてなることを特徴とするコップディスペンサ。
【請求項６】
弧状辺部と複数の弾性板部を一枚としている薄樹脂板製の弾性部材を、上下段の各上下リング体間に並べて挟持してコップ保持部を形成してなる請求項５記載のコップディスペンサ。
【請求項７】
弾性板部の突出長をコップ容器部分の最大外径と対応させてなる請求項５又は６記載のコップディスペンサ。
【請求項８】
各弾性板部の突出長を長短相違せしめ、各長短弾性板部を一方に偏ることなくバランス良く配置してなる請求項５乃至７記載のいずれかのコップディスペンサ。
【請求項９】
コップ保持部を、請求項２又は６記載のコップ保持部を備えたリング部と、筒状収納部への着脱装着が可能で且つ前記リング部材を着脱可能に設けた下部被覆体とで形成してなるコップディスペンサ。
【発明の詳細な説明】
【技術分野】
【０００１】
本発明は、紙コップやプラスチックコップなどの使い捨てコップを積層収納し、１個毎取り出すことを可能としたコップディスペンサの特に下部のコップ取り出し構造に関するものである。
【背景技術】
【０００２】
使い捨てコップなどは、円錐台形状にして差し込み積層され、そのままコップディスペンサに収納し、コップディスペンサの下部取り出し口から１個毎取り出して使用に供されるものである。
【０００３】
特にコップディスペンサの下部取り出し口の構造は、収納すべきコップが上縁膨出部（鍔部）を備え、鍔部の下方が引っ掛かると共に、コップの引き出し力で拡幅されて鍔部が通過してコップの取り出しが可能なコップ保持部を備えているものである。
【０００４】
コップ保持部の具体的な構造としては、鍔部より小径の透孔を備えたシリコン膜を使用した構造（特許文献１）、筒状収納部と連続する窄み部を設けると共に、窄み部に縦スリットを設け、窄み部を拡径可能とした構造（特許文献２）、コップ鍔部の受けとなる係止片を設けた構造（特許文献３，４）などが知られている。
【０００５】
【特許文献１】特開平２−１９２８６号公報。
【特許文献２】特開昭６２−２２０４６７号公報。
【特許文献３】実公平８−５１５３号公報。
【特許文献４】実開平２−１０８９３５号公報。
【発明の開示】
【発明が解決しようとする課題】
【０００６】
シリコン膜を採用したコップ保持部は、所望の性能（伸縮性及び耐久性）を備えるシリコン膜自体の製出が煩雑であると共に、経年変化によって膜の一部が切損したり伸縮性が低下し、必ずしも耐久性に優れているとはいえなし、また一部の破損によって膜全部の交換が余儀なくされる。
【０００７】
窄み部構造を採用したコップ保持部においては、紙製収納部に延長して採用されるもので、繰り返し使用は困難である。
【０００８】
更に係止片を採用したコップ保持部は、構造が簡単で製造上の利点を備えているが、鉛直方向に正確に且つゆっくりとコップの引き抜きを行わないと、コップが複数取り出されてしまう虞がある。このため実際の使用状態では荒っぽくコップの取り出しがなされる可能性もあり、必ずしも実用的とは言えない大きな欠点がある。
【０００９】
即ちコップ引き抜きのクリック感を無視して早く引いてしまったり、コップを斜め状態に握持してコップの引き抜きを行うと、係止片による次回に取り出すべきコップ（次回コップ）の鍔部支持が間に合わずに、複数のコップが同時に引き抜かれてしまう虞がある。
【００１０】
そこで本発明は、他のコップ保持構造に比較して耐久性を備えた弾性片を使用した構造を採用すると共に、前記問題点を解決する新規なコップ保持構造を備えたコップディスペンサを提案したものである。
【課題を解決するための手段】
【００１１】
本発明に係るコップディスペンサは、鍔部を備え逆円錐台形状で積層したコップに対応した筒状収納部と、筒状収納部の下方に、コップの下方部分が露出し且つコップを保持するコップ保持部とを備えたものであって、前記コップ保持部が、コップ鍔部の通過外径の範囲内に突出する細長の弾性板部を、コップ通過部分を囲繞するように放射状に複数配置して形成されたもので、前記弾性板部の突出長を長短相違せしめると共に、各長短弾性板部を一方に偏ることなくバランス良く配置し、若しくは前記弾性板部を多段に設けてなることを特徴とするものである。
【００１２】
而して収納筒部内に多段に積層したコップを収納するとコップの自重で落下し、積層コップの最下段コップがコップ保持部の下方からその一部が露出すると共に、弾性板部に係止されることでコップが保持される。
【００１３】
前記のコップ保持状態で露出している最下段コップを握持して引き下げると、コップ鍔部が弾性板を押し下げて引き抜かれることになる。その際に長短弾性板部を採用している場合には、長弾性板部が鍔部を越えて鍔部上方に至っていない状態（コップ保持状態）で、短弾性板部が先に鍔部上方に達し、次回コップを保持することになり、次回コップが引き抜きコップに伴って一緒に引き抜かれる可能性を激減させたものである。
【００１４】
また上下弾性板部を採用している場合でも、下方弾性板部が鍔部を越えて鍔部上方に至っていない状態（コップ保持状態）で、上方弾性板部が先に鍔部上方に達し、次回コップを保持することになり、次回コップが引き抜きコップに伴って一緒に引き抜かれる可能性を激減させたものである。
【発明の効果】
【００１５】
以上のとおりコップ保持部に、コップ通過部分の周囲に放射状に配置した弾性板部を採用したことによって、構造が簡単で且つ耐久性に優れた材質を選択できるコップ保持構造で、特にコップ保持機能が同時に開放されない弾性板の組み合わせを採用したことで、コップ保持状態でも次回コップの保持準備がなされているようにし、次回コップの確実な保持を実現したもので、実用性に優れたコップディスペンサを提供できたものである。
【発明を実施するための最良の形態】
【００１６】
次に本発明の実施の形態について説明する。実施形態に示したコップディスペンサは、１段の弾性板を採用した例である。
【００１７】
実施形態に示したコップディスペンサは、逆円錐台状の容器部ａと上縁外周に膨出した鍔部ｂを備えたコップ（紙製や樹脂製）Ａを積層状態で１個毎の取り出しを可能として収納するもので、筒状収納部１とコップ保持部２とで構成されている。
【００１８】
筒状収納部１は、前記積層コップ群が収納される大きさで、筒状本体１１の上部開口部分に開閉蓋１２を装着し、積層コップ群の補充供給可能にしてなり、本体１１の側面には設置箇所への取付部１３を付設してなる。
【００１９】
更に筒状本体１１の下部開口部には、コップ保持部２の装着部１４を設けてなる。装着部１４は、本体１１の外周方に張り出した庇部１４１と庇部１４１の内周面に設けた係止部１４２からなり、係止部１４２は、庇部内周面に適宜間隔で内方に突出させ部材載置可能に設けたものである。
【００２０】
コップ保持部２は、リング部２１と、下部被覆体２２で構成される。リング部２１は、複数（４〜６個）の弾性部材２１１と、上下リング体２１２，２１３と、リベット２１４で形成される。
【００２１】
弾性部材２１１は、ポリエチレンテレフタレート樹脂やポリプロピレン樹脂で形成した薄板で、４分の１円の弧状辺部２１５と、弧状辺部２１５から弧状中心へ４〜６個の弾性板部２１６を突設しているもので、特に突出長が長い長弾性板部２１６ａと、短い短弾性板部２１６ｂとを交互に設けている。長弾性板部２１６ａの突出長は、４〜６個の弾性部材２１１を円形に配置した際に長弾性板部２１６ａの先端辺が、使用対象コップＡの容器部ａの最大外周部分（鍔部ｂの直下の外周面部分）と当接する程度とし、短弾性板部２１６ｂの突出長は、前記長弾性板部２１６ａより１ｍｍ程度後退させてなる。
【００２２】
更に前記弾性部材２１１及び上下リング体２１２，２１３の適宜な対応位置にリベット孔２１７を穿設し、４〜６個の弾性部材２１１を円形に配置して上下リング体２１２，２１３で挟持し、リベット２１４で全体を一体に形成する。
【００２３】
尚弾性部材２１１の材質や厚さ並びに弧状辺部２１５及びリング体２１２，２１３の径は、後述する使用状態を考慮して適宜に定められるものであり、また長短弾性板部２１６の数や配置についても同様に使用状態を考慮してバランスよく定めれば良いものである。
【００２４】
またリング部２１には下部被覆部材２２への装着構造を設けたもので、実施形態では、リング部２１の外周辺に、切欠部２１８を設けてなる。
【００２５】
下部被覆体２２は、前記装着部１４の周面内方に位置する筒状の差込部２２１の下縁に、リング部材２１の載置装着面部２２２を底設し、更に弾性板部の弾性動作が可能なように載置装着面部２２２に連続してコップＡの通過透孔２２３まで保護面部２２６を斜設してなるものである。また差込部２２１の上縁には係止部１４２に対応する切欠部を有するフランジ部２２４を設け、差込部２２１の内周面には、切欠部２１８に対応する装着片部２２５を設けてなる。
【００２６】
そしてリング部２１を下部被覆体２２の上方から差し入れて、載置装着面部２２２に載置して回動し、切欠部２１８を通過させた装着片部２２５をリング部２１の切欠部２１８の横方上面に位置させることで、リング部２１を下部被覆体２２に装着し両者を一体としてコップ保持部２を形成する。
【００２７】
このコップ保持部２は、装着部１４の下方から差し入れてフランジ部２２４を係止部１４２に係止して筒状収納部１に装着する。
【００２８】
尚本発明は、コップ保持部２における弾性部材の構成に特徴を備えたもので、各部材の連結固定構造は前記の実施形態に限定されず、適宜な構造を採用できるものである。
【００２９】
次に前記実施形態器具の使用状態について説明する。多段に積層したコップＡは上部の開閉蓋１２を開放して供給され、供給されるとその自重で落下し、最下段のコップＡ１の鍔部ｂ１が弾性板部２１６に係止され、最下段コップＡ１の下方部分が通過透孔２２３から露出した状態でコップ群全体が保持される。
【００３０】
コップを使用する場合に最下段コップＡ１を握持して下方に引き抜くもので、この引き抜きに際して、図６に例示するとおりコップ鍔部ｂ１が弾性板部２１６に引っ掛かって押し下げられるが、特に弾性板部２１６が、突出長の相違する長短２種の弾性板を採用しているので、長弾性板部２１６ａと短弾性板部２１６ｂが時間差を以って鍔部ｂ１を越えることになる。
【００３１】
即ち鍔部ｂ１が長弾性板部２１６ａを通過していない状態（弾性板部２１６ａで保持されている状態）で、短弾性板部２１６ｂが鍔部ｂ１の上方で次回コップＡ２の鍔部ｂ２の下方に位置することになる。
【００３２】
従ってこの状態で最下段コップＡ１を引き抜いて長弾性板部２１６ａが弾性復帰する際に、次回コップＡ２が最下段コップＡ１に伴って下方移動しても、その鍔部ｂ２は、短弾性板部２１６ｂに引っ掛かり、係止されることになるので、最下段コップＡ１の引き抜きに際して、次回コップＡ２が一緒に器具外に取り出される可能性を激減させたもので、特に前記実施形態においては、弾性板部で構成されるコップ保持作用において、１段の弾性板部でもコップ単数取り出し機能を高めることができる利点がある。
【００３３】
また本発明は、弾性板部で構成されるコップ保持作用において、前記第一の実施形態と同様にコップ単数取り出し機能を高める異なる構成（第二実施形態）も提案したものである。
【００３４】
第二実施形態は、第一実施形態においてリング部の構成を変更したもので、他の構成部材は、リング部の変更に伴う寸法の変更程度である。
【００３５】
第二実施形態のリング部２１ａは、２個の円形に組み合わせることのできる弾性部材と、４個のリング体２１２ａと、所定の間隔を保持して４個のリング体２１２ａを連結するリベット２１４ａで形成される。
【００３６】
弾性部材２１１ａの材質や円形の分割割合等は第一実施形態で述べたとおりであるが、特に弧状辺部から弧状中心へ突設した弾性板部は、特に第一実施形態のように突出長を長短相違させず、同一突出長を備えていれば良い。
【００３７】
そしてリング部２１ａは、上部弾性板部２１６ｃと下部弾性板部２１６ｄの二段構造としたものであり、上下弾性板部の間隔は、積層コップの積層高さ１段分程度が良い。
【００３８】
次に前記第二実施形態の作用について説明する。積層コップ群の収納状態は、最初は図８に例示するとおり、最下段コップＡ１の鍔部ｂ１が上方弾性板部２１６ｃに引っ掛かっている。そこでコップＡ１を引き抜くと、上方弾性板部２１６ｃが、鍔部ｂ１の上方に位置した状態で、最下段コップＡ１は下方弾性板部２１６ｄで保持されている。更に最下段コップＡ１を下方に引っ張ると下方弾性板部２１６ｄを越えて引き抜かれるが、これに伴って次回コップＡ２が下方移動しても、その鍔部ｂ２は、上方弾性板部２１６ｃに引っ掛かり、係止されることになる。
【００３９】
従って最下段コップＡ１の引き抜きに際して、次回コップＡ２が一緒に器具外に取り出される可能性が全くない。
【００４０】
尚前期第二実施形態において、上下弾性板部にそれぞれ第一実施形態で例示した長短弾性板部の組み合わせを採用しても良い。
【図面の簡単な説明】
【００４１】
【図１】本発明の第一実施形態の一部切断した正面図。
【図２】同コップ保持部の一部切断した正面図。
【図３】同リング部の全体斜視図。
【図４】同リング部の平面図で、（イ）全体の平面図（ロ）は弾性部材の平面図。
【図５】同コップ保持部の分解斜視図。
【図６】同コップ保持部の作用説明図。
【図７】同第二実施形態のリング部の斜視図。
【図８】同コップ保持部の作用説明図。
【符号の説明】
【００４２】
１          筒状収納部
１１        筒状本体
１２        開閉蓋
１３        取付部
１４        装着部
１４１      庇部
１４２      係止部
２          コップ保持部
２１，２１ａ  リング部
２１１      弾性部材
２１２，２１３，２１２ａ  リング体
２１４，２１４ａ  リベット
２１５      弧状辺部
２１６      弾性板部
２１６ａ    長弾性板部
２１６ｂ    短弾性板部
２１６ｃ    上方弾性板部
２１６ｄ    下方弾性板部
２１７      リベット孔
２１８      切欠部
２２        下部被覆体
２２１      差込部
２２２      載置装着面部
２２３      通過透孔
２２４      フランジ部
２２５      装着片部
２２６      保護面部
【図１】
2005170487.tif 000003
【図２】
2005170487.tif 000004
【図３】
2005170487.tif 000005
【図４】
2005170487.tif 000006
【図５】
2005170487.tif 000007
【図６】
2005170487.tif 000008
【図７】
2005170487.tif 000009
【図８】
2005170487.tif 000010